(57)【要約】【課題】工具の持ち替えや作業位置の変更をすることなく、電線に対して異なる方向から整形用の外力を加え、効率的に電線を整形することが可能な電線整形装置を提供する。【解決手段】電線整形装置１は、操作棒２００に対して着脱される第一支持部材２０と、第一支持部材に固定的に、又は回転自在に支持された第一整形部材５１、第二整形部材５３と、第一支持部材によって可動的に支持された第二支持部材３１と、第二支持部材に固定的に、又は回転自在に支持されて、第二支持部材が第一支持部材に接近した時に、２つの整形部材との間に整形対象物としての電線Ｗを保持する保持空間４３を形成する押圧部材５５と、を備えた。【選択図】図１
2017063558.tif 000002
【特許請求の範囲】
【請求項１】
操作棒に対して着脱される第一支持部材と、
該第一支持部材に固定的に、又は回転自在に支持された少なくとも２つの整形部材と、
前記第一支持部材によって可動的に支持された第二支持部材と、
該第二支持部材に固定的に、又は回転自在に支持されて、前記第二支持部材が前記第一支持部材に接近した時に、前記２つの整形部材との間に整形対象物としての電線を保持する保持空間を形成する押圧部材と、を備えたことを特徴とする電線整形装置。
【請求項２】
前記２つの整形部材と前記押圧部材の少なくとも一つは球状ローラであることを特徴とする請求項１に記載の電線整形装置。
【請求項３】
前記２つの整形部材と前記押圧部材の少なくとも一つは回転楕円体であることを特徴とする請求項１に記載の電線整形装置。
【請求項４】
前記２つの整形部材と前記押圧部材の少なくとも一つには、前記電線と接触する部分に凹所が形成されていることを特徴とする請求項１乃至３の何れか一項に記載の電線整形装置。
【発明の詳細な説明】
【技術分野】
【０００１】
本発明は、電線の折れ、捻れ、湾曲等の変形癖を取り、電線を再使用に適した形状に整形する間接活線作業用の電線整形装置に関する。
【背景技術】
【０００２】
架空送電線や高圧引下線等は設置箇所に応じて適宜変形させて使用されるが、折れ、捻れ、湾曲等の変形癖の付いた電線を他所で再使用する場合には電線の変形癖を取り、電線を再使用に適した形状に整形する必要がある。
特許文献１には電線についた変形癖を矯正する電線癖取り器が記載されている。電線癖取り器は、癖取り対象の電線に対して上方又は下方から接する大径円弧部を有すると共に固定的に支持された電線固定部と、電線固定部を間に挟んで所定距離離間して配置されると共に、上下動自在に構成された２つの可動ローラとを備えている。可動ローラは、電線に対して下方又は上方から接する。電線を電線固定部と可動ローラとの間に挟んだ状態にて可動ローラを上方向又は下方向に移動させて電線を大径円弧部に押し付けることで、電線の変形癖を取る。
【先行技術文献】
【特許文献】
【０００３】
【特許文献１】特許第５５１９０４０号
【発明の概要】
【発明が解決しようとする課題】
【０００４】
特許文献１に記載の電線癖取り器においては、電線を電線固定部の大径円弧部に押し付けて整形するため、電線癖取り器によって電線に加えることが可能な整形用の外力の方向は、電線固定部と電線との位置関係によって決まる。即ち、電線を下方に湾曲させるときは電線固定部を電線の上方から接触させ、電線を上方に湾曲させるときは電線固定部を電線の下方から接触させる必要がある。このため、特許文献１に記載の発明においては、電線に対して加える整形用の外力の方向に応じて電線癖取り器の持ち替えや作業位置の変更をする必要があり、電線の整形作業の煩雑化、及び作業時間の増大を招くという問題がある。
本発明は上述の事情に鑑みてなされたものであり、工具の持ち替えや作業位置の変更をすることなく、電線に対して異なる方向から整形用の外力を加え、効率的に電線を整形することが可能な電線整形装置を提供することを目的とする。
【課題を解決するための手段】
【０００５】
上記の課題を解決するために、請求項１に記載の発明は、操作棒に対して着脱される第一支持部材と、該第一支持部材に固定的に、又は回転自在に支持された少なくとも２つの整形部材と、前記第一支持部材によって可動的に支持された第二支持部材と、該第二支持部材に固定的に、又は回転自在に支持されて、前記第二支持部材が前記第一支持部材に接近した時に、前記２つの整形部材との間に整形対象物としての電線を保持する保持空間を形成する押圧部材と、を備えたことを特徴とする。
請求項２に記載の発明は、前記２つの整形部材と前記押圧部材の少なくとも一つは球状ローラであることを特徴とする。
請求項３に記載の発明は、前記２つの整形部材と前記押圧部材の少なくとも一つは回転楕円体であることを特徴とする。
請求項４に記載の発明は、前記２つの整形部材と前記押圧部材の少なくとも一つには、前記電線と接触する部分に凹所が形成されていることを特徴とする。  
【発明の効果】
【０００６】
本発明によれば工具の持ち替えや作業位置の変更をすることなく、電線に対して異なる方向から整形用の外力を加え、効率的に電線を整形することが可能となる。
【図面の簡単な説明】
【０００７】
【図１】本発明の第一の実施形態に係る電線整形装置を示す正面図である。
【図２】本発明の第二の実施形態に係る電線整形装置を示す正面図である。
【図３】本発明の第三の実施形態に係る電線整形装置を示す正面図である。
【図４】本発明の第四の実施形態に係る電線整形装置を示す正面図である。
【図５】本発明の第五の実施形態に係る電線整形装置を示す正面図である。
【図６】本発明の第六の実施形態に係る電線整形装置を示す正面図である。
【図７】菊座による接続構造を示す図であり、（ａ）は電線整形装置の菊座部を示し、（ｂ）は、両菊座部を接続した様子を示し、（ｃ）は操作棒の菊座部を示す図である。
【図８】ツイストロックによる接続構造を示す図である。
【発明を実施するための形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００９】
以下、本発明の実施形態を詳細に説明する。
〔第一の実施形態〕
図１は、本発明の第一の実施形態に係る電線整形装置を示す正面図である。
本実施形態に係る電線整形装置は、少なくとも２つの整形部材と押圧部材とによって形成される電線保持空間内に電線を保持し、保持した電線の外周部から電線の軸心部に向けて整形（矯正）のための押圧力を働かせる点に特徴がある。
電線整形装置１は、操作棒に対して着脱される第一支持部材２０と、第一支持部材２０に回転自在に（又は固定的に）支持された少なくとも２つの整形部材（第一整形部材５１、第二整形部材５３）と、第一支持部材２０によって可動的に支持された第二支持部材３１と、第二支持部材３１に回転自在に（又は固定的に）支持され、第二支持部材３１が第一支持部材２０に接近した時に、２つの整形部材５１、５３との間に整形（矯正）対象物としての電線Ｗを保持する保持空間４３を形成する押圧部材５５とを備えている。
【００１０】
＜支持部＞
第一支持部材２０と第二支持部材３１は支持部１０を構成し、概略逆Ｊ字形状に形成されている。
第一支持部材２０は概略逆Ｌ字形状であり、基端部２１ａに操作棒に対して着脱自在に接続される被接続部１００を備え、被接続部１００から上方に延びる第一アーム２１と、基端部２３ａを第一アーム２１の先端部２１ｂによって支持されると共に第一アーム２１と交差する方向に延びる第二アーム２３とを備える。第二アーム２３は先端部２３ｂにおいて第二支持部材３１を支持する。
第二支持部材３１は、基端部３１ａが第二アーム２３の先端によって支持されている。第二支持部材３１は、下方向に延び、且つ先端部３１ｂが第一アーム２１に接近する方向に延びている。第二支持部材３１は第二アーム２３によって可動的に、より詳しくは揺動可能に支持されており、第二支持部材３１の先端部３１ｂは第一アーム２１に対して接近又は離間する。
【００１１】
本実施形態において支持部１０は単一の鋼材から一体的に構成されている。第二支持部材３１の先端部３１ｂは、素材が有する弾性によって支持部１０が弾性的に変形することにより、第一アーム２１に対して接近又は離間する。第二支持部材３１は、支持部１０のうち、主として第二アーム２３と第二支持部材３１との連設部分が弾性的に変形することにより、該連設部分を中心として回動（揺動）するように動作する。
電線Ｗは、第二支持部材３１の先端部３１ｂと第一アーム２１との間に形成された間隙４１を介して保持空間４３内に挿入される。間隙４１は、第二支持部材３１の先端部３１ｂが第一アーム２１から離間したときに拡開し、接近したときに縮小する。
【００１２】
＜整形部材、押圧部材＞
第一整形部材５１、第二整形部材５３、及び押圧部材５５は球状ローラである。第一整形部材５１と第二整形部材５３は、夫々第一アーム２１と第二アーム２３によって、各アームの軸周りに正逆回転自在に支持されている。押圧部材５５は、第二支持部材３１によって、第二支持部材３１の軸周りに正逆回転自在に支持されている。整形部材５１、５３、及び押圧部材５５は、電線Ｗを押圧して整形し得る程度の剛性を有した素材として例えば硬質のゴム部材や樹脂等から構成される。
押圧部材５５と整形部材５１、５３との間には、整形対象物としての電線Ｗを保持する保持空間４３が形成される。電線Ｗは、第一整形部材５１と押圧部材５５の間に形成される電線出入口４２を介して保持空間４３に挿入され、又は保持空間４３から取り出される。電線Ｗが保持空間４３内に保持されたとき、２つの整形部材５１、５３及び押圧部材５５は、電線を取り囲むように電線の周囲に配置される。
【００１３】
押圧部材５５は、保持空間４３に保持された電線Ｗを２つの整形部材５１、５３に対して押圧し、且つ保持空間４３外への電線Ｗの離脱を阻害する押圧位置（図中実線位置）と、保持空間４３内外への電線Ｗの移動を許容する退避位置（図中点線位置）との間を弾性的に移動する。
電線Ｗが保持空間４３に保持されたとき押圧部材５５は、支持部１０の素材が有する弾性により、電線Ｗを２つの整形部材５１、５３に押圧する方向（図中矢印Ａ方向、押圧部材５５を整形部材５１、５３に接近させる方向）に弾性付勢される。また、押圧部材５５を２つの整形部材５１、５３から離間させる方向への外力が電線Ｗを介して加えられたとき、支持部１０は弾性変形して押圧部材５５を退避位置に移動させると共に電線出入口４２を拡開させる。このとき、電線出入口４２を介した保持空間４３内外への電線Ｗの移動が許容される。
【００１４】
＜接続構造＞
第一支持部材２０に設けられた被接続部１００と、操作棒に設けられて被接続部１００と着脱自在に接続する接続部との接続構造について説明する。
【００１５】
≪菊座部≫
図７は、菊座による接続構造を示す図であり、（ａ）は電線整形装置の菊座部を示し、（ｂ）は、両菊座部を接続した様子を示し、（ｃ）は操作棒の菊座部を示す図である。
（ａ）に示すように電線整形装置１は被接続部１００として菊座部１１０を備えることができる。菊座部１１０は、平面視概略円形状のベース１１１と、ベース１１１の外周部から中心部にかけて形成された切欠部１１３と、切欠部１１３の内奥部１１３ａを中心としてベース１１１の一方の面に放射状に形成された複数の凹凸部１１５とを備える。
（ｃ）に示すように操作棒２００に設けられた接続部としての菊座部２１０は、平面視概略円形状のベース２１１と、ベース２１１の中心部に貫通形成されたネジ穴２１３と、ネジ穴２１３を中心としてベース２１１の一方の面に放射状に形成された複数の凹凸部２１５とを備える。ネジ穴２１３には蝶ネジ２１７が螺着される。
（ｂ）に示すように菊座部１１０の凹凸部１１５と、菊座部２１０の凹凸部２１５とを係合させ、ネジ穴２１３に蝶ネジ２１７を螺着して両菊座部１１０、２１０を締結することにより、電線整形装置１と操作棒２００とを一体化することができる。互いに係合させる凹凸部１１５、２１５の凹凸の位置を調整することにより、操作棒２００の軸方向に対する電線整形装置１の傾斜角度を所望の角度に設定することができる。
菊座部１１０、２１０は、操作棒２００の軸方向に対する第一アーム２１の傾斜角度を段階的に自在に可変させることができる。図１に示した菊座部１１０は、第一支持部材２０と第二支持部材３１を含む平面内において両支持部材の傾斜角度を可変させる（電線整形装置を紙面の左右方向に傾倒させる）構成である。第一支持部材２０及び第二支持部材３１に対する菊座部１１０の向きは、これに限らず自由に設定することができる。
【００１６】
≪ツイストロック≫
電線整形装置１と操作棒は、所謂ツイストロック方式により、着脱自在、且つ相対回転不能に接続する構造を備えてもよい。図８は、ツイストロックによる接続構造を示す図である。
操作棒２００の接続金具２２０（接続部）は、円柱状の軸部材２２１と、軸部材２２１の側面から外径方向に突設された係止ピン２２３と、軸部材２２１の先端面から自在に出没すると共に、軸部材の内部に設けた不図示のバネによって突出方向に弾性付勢されたプッシュピン２２５とを備えている。
電線整形装置１の被接続金具１２０（被接続部）は、基端面が開口し、軸方向他端面が閉止した円筒形状であり、基端開口１２０ａから接続金具２２０の軸部材２２１を中空部１２１内に受け入れて保持する。
【００１７】
被接続金具１２０の側面には、基端縁から概略Ｔ字形状の切欠部１２３が形成されている。切欠部１２３は、被接続金具１２０の内外を連通させる。切欠部１２３は、被接続金具１２０の基端縁から軸方向に伸びる軸方向切欠部１２３ａと、軸方向切欠部１２３ａの最奥部から周方向に伸びる周方向切欠部１２３ｂと、周方向切欠部１２３ｂの最奥部から基端側に向かって軸方向に伸びる係止凹部１２３ｃとを備える。係止凹部１２３ｃには、操作棒２００の接続金具２２０の係止ピン２２３が係止される。
操作棒２００の軸部材２２１を被接続金具１２０の中空部１２１内に挿入すると共に、係止ピン２２３を被接続金具１２０の基端縁から軸方向切欠部１２３ａ内に挿入する。被接続金具１２０に対して操作棒２００を押し付けてプッシュピン２２５を軸部材２２１内に没入させた状態で操作棒２００を右方向（又は左方向）に回動させて、係止ピン２２３を周方向切欠部１２３ｂの最奥部まで移動させる。周方向切欠部１２３ｂの最奥部においてはプッシュピン２２５が中空部１２１内の軸方向他端面を押圧して、係止ピン２２３が係止凹部１２３ｃ内に係止される。これにより、被接続金具１２０は操作棒２００の接続金具２２０に相対回転不能に装着される。
【００１８】
＜使用方法＞
電線整形装置の使用方法について説明する。まず、図７に示すように操作棒２００に対して電線整形装置１を装着する。
続いて操作棒２００を操作して、図１に示すように間隙４１を介して電線出入口４２まで電線Ｗを挿入する。保持空間４３が電線Ｗを保持していない状態における電線出入口４２の大きさは電線Ｗの直径よりも小さいため、電線整形装置１を更に移動させて、電線Ｗを保持空間４３側に相対移動させる。電線Ｗが第一整形部材５１と押圧部材５５の双方に接触することにより、押圧部材５５は図中点線位置まで退避して電線出入口４２が拡開する。その結果、保持空間４３内に電線Ｗが挿入される。保持空間４３内に電線Ｗが挿入された後、第二支持部材３１及び押圧部材５５は第一アーム２１側に移動して、押圧部材５５は電線Ｗを第一整形部材５１と第二整形部材５３に対して押圧する。
保持空間４３内に電線Ｗが保持された状態にて、電線整形装置１を電線Ｗの長手方向（図１中紙面に直交する方向）に進退移動させる。整形部材５１、５３及び押圧部材５５は電線Ｗと接触して正逆方向に回転する。また、電線整形装置１を電線Ｗの長手方向に進退させる過程で、電線整形装置１を電線Ｗ回りに適宜回転させることで、電線Ｗに対して所望の方向に外力を加えることができる。これらの操作により電線の癖は取り除かれ、所望の形状に整形される。
【００１９】
＜効果＞
以上のように本実施形態においては、保持空間を少なくとも２つの整形部材と押圧部材とによって形成する。即ち、電線が保持空間内に保持されたとき、少なくとも２つの整形部材と押圧部材は、電線を取り囲むように配置される。その結果、工具の持ち替えや作業位置の変更をすることなく、整形部材と押圧部材から電線に対して異なる方向から整形のための外力を作用させることができる。従って、効率的に電線の変形癖を取り、電線を美しく整形できると共に、作業時間の短縮を図ることができる。
なお、２つの整形部材は、第一支持部材によって固定的に支持され、回転不能な構成であってもよい。押圧部材は、第二支持部材によって固定的に支持され、回転不能な構成であってもよい。整形部材又は押圧部材が固定的に支持される場合、各部材は電線との摺動性が高い材料（例えばポリアセタール等の樹脂）から構成されることが望ましい。
また、電線整形装置は３つ以上の整形部材や、２つ以上の押圧部材を備える構成としてもよい。少なくとも保持空間内に保持された電線を取り囲むように整形部材と押圧部材が配置されればよい。
【００２０】
〔第二の実施形態〕
図２は、本発明の第二の実施形態に係る電線整形装置を示す正面図である。本実施形態に係る電線整形装置は、第一支持部材と第二支持部材とを別体構成とした点に特徴がある。第一の実施形態と同一の構成には同一の符号を付してその説明を省略する。
電線整形装置２の第一支持部材２０は、第二アーム２３の先端部２３ｂに設けた軸支部２５において第二支持部材３１を回動自在（又は揺動自在）に支持する。軸支部２５には、ねじりコイルバネが内蔵されており、第二支持部材３１の先端部３１ｂを第一アーム２１側に弾性付勢している。
電線整形装置２は、軸支部２５に内蔵されたねじりコイルバネの働きにより、電線Ｗの保持空間４３内への挿入又は保持空間４３からの離脱の際には、押圧部材５５が図中点線位置に退避して、電線の挿入、又は離脱を許容する。また、電線Ｗが保持空間４３内に保持された場合には、押圧部材５５が電線Ｗを第一整形部材５１及び第二整形部材５３に対して押圧する。押圧部材５５による電線Ｗの押圧力は、ねじりコイルバネの弾性付勢力によって調整することができる。
従って、本実施形態においても第一整形部材、第二整形部材、及び押圧部材から電線に対して異なる方向から整形のための外力を作用させることができる。
【００２１】
〔第三の実施形態〕
図３は、本発明の第三の実施形態に係る電線整形装置を示す正面図である。本実施形態に係る電線整形装置は、第二支持部材が第二アームによって第二アームの軸方向（長手方向）に沿って進退自在に支持されている点に特徴がある。第一及び第二の実施形態同一の構成には同一の符号を付してその説明を省略する。
電線整形装置３の第一支持部材２０を構成する第二アーム６０は、基端部６１ａを第一アーム２１の先端部２１ｂによって支持された中空の筒状部材６１と筒状部材６１の中空部内にその軸方向に進退自在に挿通された挿通軸部材６３とを備えている。挿通軸部材６３は、先端部６３ｂにおいて第二支持部材３１の基端部３１ａを支持しており、第二支持部材３１及び押圧部材５５は、第一支持部材２０の第二アーム６０によって可動的に支持されている。
【００２２】
挿通軸部材６３は、筒状部材６１の中空部内に配置されたコイルバネ等の弾性付勢部材（不図示）によって、第二支持部材３１を第一アーム２１側に接近させる方向（図中矢印Ｂ１方向）に弾性付勢されている。挿通軸部材６３は、先端部６３ｂに連設された第二支持部材３１、及び基端部６３ａに設けられたストッパ６５とによって筒状部材６１からの脱落を防止されている。
挿通軸部材６３の基端部６３ａには、第二支持部材３１を第一アーム２１から離間させる方向に、挿通軸部材６３を操作するための摘部６７が形成されている。摘部６７は、絶縁ヤットコ等の間接活線用工具による操作が可能な向き及び大きさに形成されている。
【００２３】
使用方法について、第一の実施形態と異なる点について述べる。
電線整形装置３において保持空間４３内に電線を挿入する場合には、摘部６７を挿通軸部材６３の軸方向に押圧して押圧部材５５を第一整形部材５１から離間させた後、電線Ｗを電線出入口４２から保持空間４３内に挿入すればよい。摘部６７に対する押圧力を解除すれば、押圧部材５５は第二アーム６０に内蔵された弾性付勢部材の弾性付勢力によって第一アーム２１に接近すると共に、保持空間４３内に位置する電線Ｗを第一整形部材５１及び第二整形部材５３に対して押圧する。
なお、第一の実施形態や第二の実施形態と同様に、電線Ｗを第一整形部材５１と押圧部材５５との間に圧入し、押圧部材５５を第一整形部材５１から離間させることによっても、保持空間４３の内外で電線Ｗを移動させることができる。
【００２４】
以上のように本実施形態においては、第二支持部材を第二アームの軸方向に沿って進退可能に構成すると共に、第二アームに内蔵したバネ部材によって押圧部材を２つの整形部材側に弾性付勢するように構成した。
本実施形態においても、電線が保持空間内に保持された場合には、第一整形部材、第二整形部材、及び押圧部材から電線に対して異なる方向から整形のための外力が作用する。
【００２５】
〔第四の実施形態〕
図４は、本発明の第四の実施形態に係る電線整形装置を示す正面図である。本実施形態に係る電線整形装置においては、整形部材と押圧部材を回転楕円体とした点に特徴がある。以下、第一〜第三の実施形態と同一の部材には同一の符号を付してその説明を省略する。
電線整形装置４は、第一支持部材２０によって支持された第一整形部材７１、第二整形部材７３、及び第二支持部材３１によって支持された押圧部材７５を備える。第一整形部材７１、第二整形部材７３、及び押圧部材７５は回転楕円体である。
各回転楕円体を支持する支持部材の軸方向は、各回転楕円体の長半径（赤道半径）に沿った方向に設定されている。このため、各回転楕円体の電線Ｗと接触する部分の曲率が小さくなり、電線とローラとの接触面積が増大する。これにより、電線の整形機能を高めることができる。
なお、第一整形部材、第二整形部材、押圧部材の全てを回転楕円体としてもよいし、何れかを回転楕円体としてもよい。
【００２６】
〔第五の実施形態〕
図５は、本発明の第五の実施形態に係る電線整形装置を示す正面図である。本実施形態に係る電線整形装置は、整形部材と押圧部材の電線との接触部分に凹所を形成した点に特徴がある。以下第一〜第四の実施形態と同一の部材には同一の符号を付してその説明を省略する。
電線整形装置５は、第一アーム２１によって支持された第一整形部材８１、第二アーム２３によって支持された第二整形部材８３、第二支持部材３１によって支持された押圧部材８５を備える。第一整形部材８１、第二整形部材８３、及び押圧部材８５は概略球形状であり、電線Ｗと接触する外周部分に夫々凹所８２、８４、８６が形成されている。
このように整形部材と押圧部材の表面に凹所を形成することで、電線と各整形部材及び押圧部材との密着性を高めることができ、電線に対して加重をかけやすくなる。また、電線整形装置を使用した電線の整形作業中に、風による電線の横揺れ等が発生した場合であっても、電線保持部から電線が離脱することを防止し、安定して電線整形作業を実施できる。
なお、第一整形部材８１、第二整形部材８３、及び押圧部材８５は図示するように球体の表面に凹所を形成したものでもよいし、図４に示した回転楕円体の表面に凹所を形成したものでもよい。また、第一整形部材、第二整形部材、押圧部材の全てに凹所を形成してもよいし、何れかに凹所を形成してもよい。
本例において第一整形部材８１、第二整形部材８３、及び押圧部材８５は自在に回転するため、凹所８２、８４、８６は、各整形部材及び押圧部材の全周に形成されている。第一整形部材８１、第二整形部材８３、及び押圧部材８５が夫々の支持部材に固定的に支持される場合には、凹所８２、８４、８６は、各整形部材及び押圧部材の外周の一部分にのみ形成されてもよい。
【００２７】
〔第六の実施形態〕
図６は、本発明の第六の実施形態に係る電線整形装置を示す正面図である。本実施形態に係る電線整形装置は、第一整形部材と押圧部材を円錐体とした点に特徴がある。以下第一乃至第五の実施形態と同一の部材には同一の符号を付してその説明を省略する。
電線整形装置６は、第一アーム２１によって支持された第一整形部材９１、第二アーム６０の筒状部材６１によって支持された第二整形部材８３、第二支持部材３１によって支持された押圧部材９５を備える。第一整形部材９１と押圧部材９５は円錐体であり、頂点が対向するように配置されている。また、第二整形部材８３は第五の実施形態に示したものと同様に球体の表面に凹所８４を形成したものである。電線Ｗは、第二整形部材８３の凹所８４と、第一整形部材９１と押圧部材９５の頂点近傍の側面によって形成される保持空間４３内に保持される。
第二アーム６０と第二支持部材３１の構造は第三の実施形態（図３）と略同様である。本実施形態において第二アーム６０の挿通軸部材６３の先端部６３ｂによって支持された第二支持部材３１は、第一アーム２１に対して略平行に垂下している。
第一整形部材９１は第一アーム２１の軸方向と直交する方向に延びる回転軸９２によって正逆回転自在に支持されている。押圧部材９５は、第二支持部材３１の軸方向と直交する方向に延びる回転軸９６によって正逆回転自在に支持されている。各回転軸９２、９６の軸方向は、各円錐体の軸方向と略一致するように設定されている。電線整形装置６を電線Ｗの長手方向（図６中紙面に直交する方向）に進退移動させたとき、第一整形部材９１と押圧部材９５は電線Ｗと接触して、夫々回転軸９２、９６の軸周りに正逆方向に回転する。
保持空間４３内に電線を挿入する場合には、摘部６７を押圧して、押圧部材９５を第一整形部材９１から離間させた後、電線Ｗを電線出入口４２から保持空間４３内に挿入すればよい。
以上のように本実施形態においては、対向配置された第一整形部材と押圧部材とを円錐体とすることによって、第二整形部材に凹所を設けた場合であっても、保持空間内に電線を挿入する際に、電線と整形部材及び押圧部材の位置関係を調整し易くなる。
【００２８】
〔本発明の実施態様例と作用、効果のまとめ〕
＜第一の実施態様＞
本態様に係る電線整形装置１〜６は、操作棒２００に対して着脱される第一支持部材２０と、第一支持部材に固定的に、又は回転自在に支持された少なくとも２つの整形部材（第一整形部材、第二整形部材）と、第一支持部材によって可動的に支持された第二支持部材３１と、第二支持部材に固定的に、又は回転自在に支持されて、第二支持部材が第一支持部材に接近した時に、２つの整形部材との間に整形対象物としての電線Ｗを保持する保持空間４３を形成する押圧部材と、を備えたことを特徴とする。
本態様において、保持空間は、少なくとも２つの整形部材と押圧部材とによって取り囲まれることにより形成される空間である。保持空間内に電線を挿入し、整形部材に対して押圧部材を接近させることにより、電線を保持空間内に保持する。整形部材と押圧部材は、電線を押圧して整形に必要な外力を加えられる程度の剛性を有した材料から構成される。電線整形装置は、電線に対して整形部材と押圧部材から整形用の外力を作用させることができる。従って本態様によれば、工具の持ち替えや作業位置の変更をしなくとも電線に対して異なる方向から整形用の外力を作用させることができ、効率的に電線の癖を取って整形できると共に、作業時間の短縮を図ることができる。
【００２９】
＜第二の実施態様＞
本態様に係る電線整形装置１〜３、５、６において、２つの整形部材（第一整形部材、第二整形部材）と押圧部材の少なくとも一つは球状ローラであることを特徴とする。
整形部材、及び／又は押圧部材を球状ローラとすることによって、電線に対して効率的に整形用の外力を加えることができる。
【００３０】
＜第三の実施態様＞
本態様に係る電線整形装置４において、２つの整形部材（第一整形部材、第二整形部材）と押圧部材の少なくとも一つは回転楕円体であることを特徴とする。
整形部材、及び／又は押圧部材を回転楕円体とすることによって、電線との接触面積を増大させることができ、電線の整形機能を高めることができる。
【００３１】
＜第四の実施態様＞
本態様に係る電線整形装置５、６において、２つの整形部材（第一整形部材、第二整形部材）と押圧部材の少なくとも一つには、電線と接触する部分に凹所が形成されていることを特徴とする。
凹所を形成することによって、電線と各整形部材及び押圧部材との密着性を高めることができ、電線に対して加重をかけやすくなる。また、電線整形装置を使用した電線の整形作業中に、風による電線の横揺れ等が発生した場合であっても、電線保持部から電線が離脱することを防止し、安定して電線整形作業を実施できる。
【符号の説明】
【００３２】
１〜６…電線整形装置、１０…支持部、２０…第一支持部材、２１…第一アーム、２３…第二アーム、２５…軸支部、３１…第二支持部材、４１…間隙、４２…電線出入口、４３…保持空間、５１…第一整形部材、５３…第二整形部材、５５…押圧部材、６０…第二アーム、６１…筒状部材、６３…挿通軸部材、６５…ストッパ、６７…摘部、７１…第一整形部材、７３…第二整形部材、７５…押圧部材、８１…第一整形部材、８２…凹所、８３…第二整形部材、８４…凹所、８５…押圧部材、８６…凹所、９１…第一整形部材、９２…回転軸、９５…押圧部材、９６…回転軸、１００…被接続部、１１０…菊座部、１２０…被接続金具、２００…操作棒、２１０…菊座部、２２０…接続金具
【図１】
2017063558.tif 000003
【図２】
2017063558.tif 000004
【図３】
2017063558.tif 000005
【図４】
2017063558.tif 000006
【図５】
2017063558.tif 000007
【図６】
2017063558.tif 000008
【図７】
2017063558.tif 000009
【図８】
2017063558.tif 000010